(57)【特許請求の範囲】
【請求項１】
テーブル板と、前記テーブル板を支持する支柱部と、前記支柱部を支持する脚部と、を備えるテーブル装置において、
前記支柱部の基部に配置されて前記支柱部と前記脚部とを接続する取付部材と、
前記取付部材および前記支柱部と前記脚部との接続部を覆うカバー部材と、
を備え、
前記取付部材は、前記カバー部材と組み付けられており、当該カバー部材により前記支柱部に対して位置決めされて取り付けられることを特徴とするテーブル装置。
【請求項２】
前記カバー部材は、
前記支柱部と一体的な取り付けをガイドする第１ガイド部と、
前記取付部材と一体的な取り付けをガイドする第２ガイド部と、
を有し、
前記第１ガイド部として、前記支柱部と外周形状に沿って開口形成された開口部を備えるとともに、前記第２ガイド部として、前記取付部材の側端部を支持する支持部を備えることを特徴とする請求項１に記載のテーブル装置。
【請求項３】
前記取付部材は、その外周形状が前記支柱部の外周形状と略同一形状を呈し、
前記カバー部材は、前記取付部材の外周形状と略同一形状を呈する開口部を備え、
前記開口部は、前記支柱部の取り付けをガイドすることを特徴とする請求項１または２に記載のテーブル装置。
【請求項４】
前記取付部材は、
前記取付部材を前記支柱部に取付けるための第１取付部と、
前記脚部を前記支柱部に取付けるための第２取付部と、を備えることを特徴とする請求項１または２に記載のテーブル装置。
【請求項５】
前記取付部材は、 
前記第１取付部として、第１取付穴が少なくとも１箇所に設けられ、
前記第２取付部として、第２取付穴が設けられ、
前記支柱部は、前記第１取付穴に対応する第１ねじ穴が設けられるとともに、前記第２取付穴に対応する第２ねじ穴が設けられ、
前記脚部には、前記支柱部への取付状態で、前記取付部材と対向する位置に取付け面が設けられ、
前記取付面は、前記支柱部の前記第２ねじ穴に対応する第３取付穴が設けられることを特徴とする請求項１から４のうちの何れか一項に記載のテーブル装置。
【請求項６】
前記取付部材は、前記脚部を取り付ける第３ねじ穴が設けられ、
前記取付面には、前記取付部材の前記第３ねじ穴に対応する第４取付穴が設けられることを特徴とする請求項５に記載のテーブル装置。
【請求項７】
前記テーブル装置は、
前記脚部に設けられる移動用のキャスタと、
前記キャスタによる移動を制動するブレーキ機構と、
前記ブレーキ機構を操作するブレーキ操作機構と、
を備え、
前記ブレーキ操作機構は、
前記ブレーキ機構のブレーキ解除操作を行う操作機構と、
前記操作部の動作を前記ブレーキ機構に伝達する伝達部材と、
を備え、
前記伝達部材は、
前記支柱部に配置されて前記操作部の動作を伝達する第１伝達部材と、
前記脚部に配置されて前記ブレーキ機構に動作を伝達する第２伝達部材と、
前記第１伝達部材と前記第２伝達部材とを分離可能に連結する連結部材と、
を備えることを特徴とする請求項１から６のうちの何れか一項に記載のテーブル装置。
【発明の詳細な説明】
【技術分野】
【０００１】
本発明は、テーブル装置に係り、特に、ベッドサイドテーブルやオーバーベッドテーブル等のテーブル装置に関する。
【背景技術】
【０００２】
従来、ベッドを使用する際に用いる、いわゆるベッドサイドテーブルやオーバーベッドテーブル等のテーブル装置は、主にテーブル部、支柱部、脚部を備えて構成され、これらの構成部を分解／組立可能に構成することで、コンパクトな状態で容易に搬送を行うことを可能にしたものが知られている。
【０００３】
しかしながら、移動用キャスタやブレーキ機構を備えたテーブル装置においては、ブレーキ機構への動作を伝達する伝達部材等がテーブル部から支柱部を通って脚部に亘り配置されているため、支柱部と脚部とを分解／組立可能にするためには構成が煩雑になるという問題があった。
【０００４】
従来技術として、例えば、車輪ロック機構付きのキャスタを備えて、テーブルが昇降するベッドサイドテーブルにおいて、テーブルに操作レバーを設けて、その操作レバーを操作することで、全てのキャスタの車輪ロック機構のロック、ロック解除を行うようにしたものが開示されている（特許文献１を参照）。
【０００５】
特許文献１の技術は、車輪ロック機構を操作するために、インナワイヤと被覆部（アウタワイヤ）とを備えた操作伝達ワイヤが用いられている。そして、操作レバーを操作することでインナワイヤを動作させて車輪ロック機構のロック、ロック解除を行うようにしている。
【先行技術文献】
【特許文献】
【０００６】
【特許文献１】特開２０１３−１２１４２５号公報
【発明の概要】
【発明が解決しようとする課題】
【０００７】
しかしながら、特許文献１の技術では、操作伝達ワイヤを構成する複数の分岐ワイヤが、テーブル部からテーブル支柱部を通って脚部に亘って配置されているため、テーブル支柱部と脚部とを分解／組立可能に構成することは容易なことではなかった。
【０００８】
例えば、複数の分岐ワイヤをそれぞれテーブル支柱部と脚部とに分解／組立可能に構成するようにしても、テーブル支柱部と脚部との接続部の構成が煩雑となるという問題を有している。
【０００９】
本発明は、上記従来の問題点に鑑みてなされたものであって、簡単な構成で支柱部と脚部とを分解／組立可能に構成でき、簡単に組み立てることができるテーブル装置を提供することを目的とする。
【課題を解決するための手段】
【００１０】
上述した課題を解決するための本発明に係るテーブル装置は、次の通りである。
【００１１】
本発明は、テーブル板と、前記テーブル板を支持する支柱部と、前記支柱部を支持する脚部と、を備えるテーブル装置において、前記支柱部の基部に配置されて前記支柱部と前記脚部とを接続する取付部材と、前記取付部材および前記支柱部と前記脚部との接続部を覆うカバー部材と、を備え、前記取付部材の構成として、前記カバー部材により前記支柱部に対して位置決めされて前記カバー部材とともに取り付けることを特徴とするものである。
【００１２】
また、本発明は、前記カバー部材の構成として、前記支柱部と一体的な取り付けをガイドする第１ガイド部と、前記取付部材と一体的な取り付けをガイドする第２ガイド部と、
を有し、前記第１ガイド部として、前記支柱部の外周形状に沿って開口形成された開口部を備えるとともに、前記第２ガイド部として、前記取付部材の側端部を支持する支持部を備えることが好ましい。
【００１３】
また、本発明は、前記取付部材の構成として、その外周形状が前記支柱部の外周形状と略同一形状を呈し、前記カバー部材の構成として、前記取付部材の外周形状と略同一形状を呈する開口部を備え、前記開口部が、前記開口部支柱部への取り付けをガイドする前記第１ガイド部として機能するとともに、前記取付部材の回転を規制する前記第２ガイド部として機能することが好ましい。
【００１４】
また、本発明は、前記取付部材の構成として、前記取付部材を前記支柱部に取付けるための第１取付部（支柱用）と、前記脚部を前記支柱部に取付けるための第２取付部（支柱-脚部用）と、を備えることが好ましい。
【００１５】
また、本発明は、前記取付部材の構成として、前記第１取付部として、第１取付穴（支柱用）を少なくとも１箇所に設け、前記第２取付部として、第２取付穴（支柱-脚部用）を設け、前記支柱部の構成として、前記第１取付穴に対応する第１ねじ穴（取付板用）を設けるとともに、前記第２取付穴に対応する第２ねじ穴（脚部用）を設け、前記脚部には、前記支柱部への取付状態で、前記取付部材と対向する位置に取付け面を設け、前記取付面には、前記支柱部の前記第２ねじ穴に対応する第３取付穴を設けることが好ましい。
【００１６】
また、本発明は、前記取付部材の構成として、前記脚部を取り付ける第３ねじ穴（脚部用）を設け、前記取付面には、前記取付部材の前記第３ねじ穴に対応する第４取付穴を設けることが好ましい。
【００１７】
また、本発明は、前記テーブル装置の構成として、前記脚部に設けられる移動用のキャスタと、前記キャスタによる移動を制動するブレーキ機構と、前記ブレーキ機構を操作するブレーキ操作機構と、を備え、前記ブレーキ操作機構の構成として、前記ブレーキ機構のブレーキ解除操作を行う操作部と、前記操作部の動作を前記ブレーキ機構に伝達する伝達部材と、を備え、前記伝達部材の構成として、前記支柱部に配置されて前記操作部の動作を伝達する第１伝達部材と、前記脚部に配置されて前記ブレーキ機構に動作を伝達する第２伝達部材と、前記第１伝達部材と前記第２伝達部材とを分離可能に連結する連結部材と、を備えることが好ましい。
【発明の効果】
【００１８】
本発明のテーブル装置によれば、テーブル板と、前記テーブル板を支持する支柱部と、前記支柱部を支持する脚部と、を備えるテーブル装置において、前記支柱部の基部に配置されて前記支柱部と前記脚部とを接続する取付部材と、前記取付部材および前記支柱部と前記脚部との接続部を覆うカバー部材と、を備え、前記取付部材の構成として、前記カバー部材により前記支柱部に対して位置決めされて前記カバー部材とともに取り付けることで、カバー部材が取付部材を把持した状態で支柱部の外周形状に沿って配置されるので、前記取付部材が支柱部に対して回動することなく、容易に前記取付部材を支柱部に取付けることができる。これにより、前記取付部材を用いて支柱部と脚部とを簡単に組み付けることができる。
【００１９】
すなわち、本発明によれば、カバー部材により連結部の板金部分の角部等を覆い、保護するとともに、外観を良好にでき、さらに、カバー部材を取付部材の回転防止手段として機能させることで、少ない部品点数で取付部材を支柱部に簡単に取付けることができる。
【図面の簡単な説明】
【００２０】
【図１】本発明の第１実施形態に係るテーブル装置の全体の構成を示す説明図である。
【図２】前記テーブル装置の全体の構成を示す正面視による説明図である。
【図３】（ａ）前記テーブル装置のブレーキ操作機構を構成する操作ワイヤ連結部の構成を示す説明図、（ｂ）前記操作ワイヤ連結部の連結状態を示す説明図、（ｃ）前記操作ワイヤ連結部にカバーをセットした状態を示す説明図である。
【図４】前記ブレーキ操作機構を構成する操作ワイヤの構成を示す説明図である。
【図５】前記テーブル装置の全体の構成を示す側面視による説明図である。
【図６】前記テーブル装置を高くした状態を示す側面視による説明図である。
【図７】前記テーブル装置の脚部の構成を示す底側から見た説明図である。
【図８】前記テーブル装置の支柱側の脚部のブレーキ機構の構成を示す説明図である。
【図９】前記テーブル装置の他方の脚部のブレーキ機構の構成を示す説明図である。
【図１０】前記ブレーキ機構の通常状態を示す説明図である。
【図１１】前記ブレーキ機構のブレーキ解除時の状態を示す説明図ある。
【図１２】前記テーブル装置を構成する操作機構の構成を示す側面図である。
【図１３】前記操作機構を構成する操作レバーによりブレーキ解除操作した状態を示す側面図である。
【図１４】前記ブレーキ操作機構の構成を示す斜視図による説明図である。
【図１５】前記操作機構の構成を示す平面視による説明図である。
【図１６】前記ブレーキ操作機構を構成する操作部材と作動部材の構成を示す側面視による説明図である。
【図１７】前記操作部材と前記作動部材の構成を示す斜視図による説明図である。
【図１８】前記テーブル装置の支柱部の支柱取付板の構成を示す斜視図による説明図である。
【図１９】前記テーブル装置の支柱部のカバー部材の構成を示す説明図である。
【図２０】前記カバー部材と前記取付部材の構成を示す平面図による説明図である。
【図２１】前記取付部材の構成を示す側面図による説明図である。
【図２２】前記支柱部における支柱取付板が取付けられる基部の構成を示す説明図である。
【図２３】前記テーブル装置の脚部の取付面の構成を示す説明図である。
【図２４】前記テーブル装置において脚部と支柱部とを組み付ける手順を示す説明図である。
【図２５】本発明の第２実施形態に係るテーブル装置における支柱取付板の構成および脚部と支柱部とを組み付ける手順を示す説明図である。
【発明を実施するための形態】
【００２１】
（第１実施形態）
以下、本発明のテーブル装置を実施するための形態について図面を参照して詳細に説明する。
図１は本発明を実施する形態の一例であって、本発明の第１実施形態に係るテーブル装置の全体の構成を示す説明図、図２は前記テーブル装置の全体の構成を示す正面視による説明図、図３の（ａ）は前記テーブル装置のブレーキ操作機構を構成する操作ワイヤ連結部の構成を示す説明図、（ｂ）は前記操作ワイヤ連結部の連結状態を示す説明図、（ｃ）は前記操作ワイヤ連結部にカバーをセットした状態を示す説明図、図４は前記ブレーキ操作機構を構成する操作ワイヤの構成を示す説明図、図５は前記テーブル装置の全体の構成を示す側面視による説明図、図６は前記テーブル装置を高くした状態を示す側面視による説明図、図７は前記テーブル装置の脚部の構成を示す底側から見た説明図、図８は前記テーブル装置の支柱側の脚部のブレーキ機構の構成を示す説明図、図９は前記テーブル装置の他方の脚部のブレーキ機構の構成を示す説明図、図１０は前記ブレーキ機構の通常状態を示す説明図、図１１は前記ブレーキ機構のブレーキ解除時の状態を示す説明図である。
【００２２】
第１実施形態に係るテーブル装置１は、ベッドサイドテーブルであって、図１，図２に示すように、テーブル板１０と、テーブル板１０を支持する支柱部２０と、支柱部２０を支持する脚部３０とを備え、図１４に示すように、支柱部２０と脚部３０とを分離可能に構成し、支柱部２０の基部に配置されて支柱部２０と脚部３０とを接続する支柱取付板（取付部材）１２０と、支柱取付板１２０および支柱部２０と脚部３０との接続部を覆うカバー部材１３０と、を備えたことを特徴とするものである。
【００２３】
まず、第１実施形態のテーブル装置１の全体構成について図面を参照して説明する。
【００２４】
第１実施形態に係るテーブル装置１は、図１に示すように、テーブル板１０と、支柱部２０と、脚部３０に加えて、さらに、テーブル板１０を制動するブレーキ機構４０と、移動用のキャスタ４３と、ブレーキ機構４０のブレーキ解除を行うブレーキ操作機構５０と、を備える移動式テーブルである。
【００２５】
ブレーキ操作機構５０の構成として、ブレーキ機構のブレーキ解除操作を行う操作機構６０と、操作機構６０の動作をブレーキ機構４０に伝達する伝達部材７０と、を備えている。
【００２６】
テーブル板１０は、図１，図２に示すように、ベッド装置（図示省略）の幅方向にわたりベッド装置を跨いで配置することが可能なように細長い矩形状に形成されている。
【００２７】
テーブル板１０の下側には、図２に示すように、テーブル板１０を支持するテーブル基部１１が構成されている。テーブル基部１１は、テーブル板１０の下側で長手方向の端部からほぼ中央部分に亘り形成されている。
【００２８】
テーブル基部１１の長手方向端部には支柱部２０が配置され、支柱部２０によりテーブル基部１１およびテーブル板１０を片側のみで支持している。支柱部２０の基部には脚部３０が具備されている。
【００２９】
テーブル基部１１は、テーブル板１０とテーブル基部１１との間に空間部を形成するように上部を開口した箱状に形成されている。
【００３０】
テーブル基部１１の支柱部２０側の端部には、ブレーキ操作機構５０の操作機構６０を構成する操作レバー（回動操作部）６１１が設けられている。この操作レバー６１１を操作することで脚部３０に設けられたブレーキ機構４０のブレーキ解除を行うように構成されている。
【００３１】
そして、テーブル基部１１の空間部には、ブレーキ操作機構５０の伝達部材７０を構成する第１伝達部材として曲げ伸ばし可能な第１操作ワイヤ７１の一部が敷設されている。
【００３２】
伝達部材７０は、脚部３０の４箇所に配置されたブレーキ機構４０のブレーキ解除を、図２に示すように、操作レバー６１１の動作に連動する第１操作ワイヤ７１と、図４に示すように、脚部３０においてブレーキ機構４０に動作を伝達する第２伝達部材として、第２操作ワイヤ７２、第３操作ワイヤ７３、第４操作ワイヤ７４と介して行うように構成されている。
【００３３】
ブレーキ機構４０は、脚部３０を構成する第１脚部フレーム３０１ａ，３０１ｂ，３０１ｃ，３０１ｄにそれぞれ設けられた４個のブレーキ機構４０ａ，４０ｂ，４０ｃ，４０ｄにより構成されている。
【００３４】
伝達部材７０は、図３（ａ），（ｂ），（ｃ）に示すように、第１操作ワイヤ７１と第２操作ワイヤ７２とを分離可能に連結する操作ワイヤ連結部（連結部材）７５を備えている。
【００３５】
操作ワイヤ連結部７５は、図３（ａ）に示すように、連結したい２本のワイヤのうちの一方のワイヤの一端部に取付けられる第１連結部７５ａと、他方のワイヤの一端部に取付けられる第２連結部７５ｂとを備え、第１連結部７５ａと第２連結部７５ｂとを連結／分離可能に嵌合するように構成したものである。
【００３６】
また、操作ワイヤ連結部７５は、図３（ｂ），（ｃ）に示すように、第１連結部７５ａと第２連結部７５ｂとを嵌合した状態で、第１連結部７５ａと第２連結部７５ｂとが簡単に分離しないようにケース体７５ｃに収容するようにしている。
【００３７】
第２連結部７５ｂは、第１操作ワイヤ７１の一端部に取付けられ、第１連結部７５ａは、第２操作ワイヤ７２の一端部に取付けられている。
【００３８】
図４に示すように、第２操作ワイヤ７２は、他端部がワイヤ操作伝達部７２０を介して第３操作ワイヤ７３および第４操作ワイヤ７４と連結されて、ワイヤ操作の動作を伝達するようにされている。
【００３９】
第３操作ワイヤ７３は、他端部がワイヤ操作伝達部７３０を介してブレーキ機構４０ａ，４０ｂを操作するブレーキ操作ワイヤ７３ａ，７３ｂと連結されている。
【００４０】
ブレーキ操作ワイヤ７３ａは、ブレーキ機構４０ａに連結され、ブレーキ操作ワイヤ７３ｂは、ブレーキ機構４０ｂに連結されている。
【００４１】
第４操作ワイヤ７４は、他端部がワイヤ操作伝達部７４０を介してブレーキ機構４０ｃ，４０ｄを操作するブレーキ操作ワイヤ７４ａ，７４ｂと連結されている。
【００４２】
ブレーキ操作ワイヤ７４ａは、ブレーキ機構４０ｃに連結され、ブレーキ操作ワイヤ７４ｂはブレーキ機構４０ｄに連結されている。
【００４３】
支柱部２０は、図５，図６に示すように、伸縮可能に構成されている。
支柱部２０は、第１支柱部材２０１と第２支柱部材２０２とを備え、第１支柱部材２０１に沿って第２支柱部材２０２をテーブル板１０とともに図中上下方向に移動することで伸縮するように構成されている。
【００４４】
第１支柱部材２０１は脚部３０側に設けられ、第２支柱部材２０２はテーブル基部１１側に設けられて、図示しない駆動機構により、ユーザがテーブル板１０を押上げたり、押し下げたりする操作によるテーブル板１０の高さ調整を可能にしている。テーブル基部１１には、前記駆動機構により支柱部２０を伸縮させてテーブル板１０を上下操作するための操作レバー８０が設けられている。
【００４５】
支柱部２０の内部には、第１操作ワイヤ７１の一部が配置されている。
そして、支柱部２０の内部には、支柱部２０が伸縮する動作に対応して支柱部２０内部に配設される第１操作ワイヤ７１をガイドする伸縮ガイド構造２１が構成されている。
【００４６】
伸縮ガイド構造２１は、第１ガイド部材２１１と第２ガイド部材２１２とを備え、支柱部２０が伸縮する範囲で第１ガイド部材２１１に沿って第２ガイド部材２１２を図中上下方向に移動することで伸縮するように構成されている。
【００４７】
第１ガイド部材２１１は第１支柱部材２０１側に設けられ、第２ガイド部材２１２は第２支柱部材２０２側に設けられて、支柱部２０が伸縮することで支柱部２０内部に配設される第１操作ワイヤ７１の長さが変化しても折れ曲がらないようにガイドするように構成されている。
【００４８】
脚部３０は、図１，図２に示すように、キャスタ４３とブレーキ機構４０ａ，４０ｂ，４０ｃ，４０ｄをそれぞれ備える第１脚部フレーム３０１ａ，３０１ｂ，３０１ｃ，３０１ｄと、第１脚部フレーム３０１ａ，３０１ｂ，３０１ｃ，３０１ｄを連結する第２脚部フレーム３０２とを備えている。
【００４９】
第２脚部フレーム３０２は、図１，図７に示すように、テーブル装置１の長手方向に沿って長く設けられている。
【００５０】
第１脚部フレーム３０１ａ，３０１ｂは、第２脚部フレーム３０２のテーブル装置１の支柱部２０側に配置され、第１脚部フレーム３０１ｃ，３０１ｄは、反対側に配置されている。
【００５１】
第１脚部フレーム３０１ａ，３０１ｂは、キャスタ４３が配置されるそれぞれの一端部をテーブル板１０の幅方向の外側に向かい配置し、それぞれの他端部を第２脚部フレーム３０２の一端部に連結して、略Ｙ字状に構成されている。
【００５２】
第１脚部フレーム３０１ｃ，３０１ｄも同様に、キャスタ４３が配置されるそれぞれの一端部をテーブル板１０の幅方向の外側に向かい配置し、それぞれの他端部を第２脚部フレーム３０２の他端部に連結して、略Ｙ字状に構成されている。
【００５３】
キャスタ４３は、第１脚部フレーム３０１ａ，３０１ｂ，３０１ｃ，３０１ｄの端部にそれぞれ取付けブラケット４３１を介して取付けられている。
【００５４】
第１脚部フレーム３０１ａ，３０１ｂ，３０１ｃ，３０１ｄには、それぞれブレーキ機構４０ａ，４０ｂ，４０ｃ，４０ｄが設けられている。
【００５５】
ブレーキ機構４０は、図７に示すように、第１脚部フレーム３０１ａ，３０１ｂ，３０１ｃ，３０１ｄに設けられたブレーキ機構４０ａ，４０ｂ，４０ｃ，４０ｄにより構成されている。
【００５６】
ブレーキ機構４０ａ，４０ｂ，４０ｃ，４０ｄは、それぞれ第１脚部フレーム３０１ａ，３０１ｂ，３０１ｃ，３０１ｄ内において端部に配置されたキャスタ４３よりテーブル板１０の幅方向内側に配置されている。
【００５７】
ここで、ブレーキ機構４０について図面を参照して具体的に説明する。
ブレーキ機構４０ａ，４０ｂ，４０ｃ，４０ｄは、図８，図９に示すように、構成要素の配置が略同様な構成を有するため、ブレーキ機構４０ａ，４０ｂを例に挙げて説明する。
【００５８】
第１ブレーキ機構４０ａは、図８に示すように、ブレーキパッド４０１と、ブレーキパッド４０１を保持するブレーキパッド保持部４０２と、ブレーキパッド保持部４０２を回動可能に支持する支軸４０３と、捻りコイルばね（図示省略）と、を備えて構成される。
【００５９】
支軸４０３は、第１脚部フレーム３０１ａの幅方向に沿って設けられている。すなわち、ブレーキパッド保持部４０２は支軸４０３により第１脚部フレーム３０１ａの長手方向に沿って回動可能に軸支されている。
【００６０】
第１脚部フレーム３０１ａ，３０１ｂは、テーブル板１０の長手方向に対して略Ｙ字状に構成されているので、ブレーキパッド４０１は、テーブル板１０の長手方向に対して斜め方向に回動して制動をかけるように作用する。
【００６１】
捻りコイルばねは、ブレーキパッド４０１が床部に当接する方向にブレーキパッド保持部４０２を常時付勢する付勢部材として機能している。
【００６２】
このように構成することで、テーブル装置１がテーブル幅方向への移動に対してブレーキ機構４０ａ，４０ｂの何れかのブレーキパッド４０１が斜め方向に制動する。
【００６３】
次に、ブレーキ機構４０ａ，４０ｂ，４０ｃ，４０ｄを動作させるブレーキ操作ワイヤ７３ａ，７３ｂ，７４ａ，７４ｂによる駆動伝達について説明する。
【００６４】
ブレーキ操作ワイヤ７３ａ，７３ｂ，７４ａ，７４ｂは、図４に示すように、ワイヤ操作伝達部７３０，７４０に連結されている。
【００６５】
ワイヤ操作伝達部７３０は、一端側には第３操作ワイヤ７３の一端が連結され、他端側にはブレーキ操作ワイヤ７３ａ，７３ｂが連結されている。
【００６６】
ワイヤ操作伝達部７４０は、一端側には第４操作ワイヤ７４の一端が連結され、他端側にはブレーキ操作ワイヤ７４ａ，７４ｂが連結されている。
【００６７】
そして、第３操作ワイヤ７３および第４操作ワイヤ７４は、他端側に第２操作ワイヤ７２が連結されるワイヤ操作伝達部７２０に連結されている。第２操作ワイヤ７２は、操作ワイヤ連結部７５を介して第１操作ワイヤ７１に連結されている。
【００６８】
ワイヤ操作伝達部７２０は、一端側には第２操作ワイヤ７２と第３操作ワイヤ７３の一端が連結され、他端側には第４操作ワイヤ７４の一端が連結されている。
【００６９】
このように構成にされることで、操作レバー６１１を操作して第１操作ワイヤを動作させることで、操作ワイヤやワイヤ操作伝達部を介して連結されるブレーキ操作ワイヤ７３ａ，７３ｂ，７４ａ，７４ｂを一括して動作させることができる。
【００７０】
そして、図８に示すように、ブレーキ操作ワイヤ７３ａは、ブレーキ機構４０ａのブレーキパッド保持部４０２に連結され、ブレーキ操作ワイヤ７３ｂは、ブレーキ機構４０ｂのブレーキパッド保持部４０２に連結されている。
【００７１】
また、図９に示すように、ブレーキ操作ワイヤ７４ａは、ブレーキ機構４０ｃのブレーキパッド保持部４０２に連結され、ブレーキ操作ワイヤ５４７４ｂは、ブレーキ機構４０ｄのブレーキパッド保持部４０２に連結されている。
【００７２】
次に、ブレーキ機構４０の動作についてブレーキ機構４０ａを例に挙げて説明する。
ブレーキ解除操作を行わない通常状態では、図１０に示すように、図示しない捻りコイルばねによりブレーキパッド４０１が床面側に突出するように付勢されて、ブレーキパッド４０１と床面との間に生じる摩擦力によりブレーキ状態となるように構成されている。
そして、ブレーキ解除操作時には、図１１に示すように、ブレーキ操作ワイヤ７３ａの操作によりブレーキパッド４０１が第１脚部フレーム３０１ａ内に引き込まれて、ブレーキパッド４０１と床面とが離間するように構成されている。ブレーキ機構４０ｂ，４０ｃ，４０ｄも同様である。
【００７３】
次に、ブレーキ機構４０の操作を行うブレーキ操作機構５０の構成について図面を参照して説明する。
図１２は第１実施形態のテーブル装置を構成する操作機構の構成を示す側面図、図１３は前記操作機構を構成する操作レバーによりブレーキ解除操作した状態を示す側面図、図１４は前記ブレーキ操作機構の構成を示す斜視図による説明図、図１５は前記操作機構の構成を示す平面視による説明図、図１６は前記ブレーキ操作機構を構成する操作部材と作動部材の構成を示す側面視による説明図、図１７は前記操作部材と前記作動部材の構成を示す斜視図による説明図、図１８は前記テーブル装置の支柱部の支柱取付板の構成を示す斜視図による説明図である。
【００７４】
ブレーキ操作機構５０は、図１，図２に示すように、操作レバー６１１を含む操作機構６０と、第１操作ワイヤ７１、第２操作ワイヤ７２、第３操作ワイヤ７３、および第４操作ワイヤ７４を含む伝達部材７０と、を備えて構成されている。
【００７５】
操作機構６０は、図１４，図１５に示すように、操作を行う操作部材６１と、操作部材６１に連動して作動する作動部材６２と、を備えて構成されることを特徴としている。
【００７６】
操作部材６１は、操作レバー６１１と、操作レバー６１１が連結される操作軸（回動軸）６１２と、作動部材６２を動作させる回動部６１３と、を備えて、テーブル板１０の下部でテーブル基部１１の端部付近に配置されている。
【００７７】
操作レバー６１１は、図１２，図１３に示すように、一端部を操作部６１１ａとして幅方向に広くなりながら外側に突設された略Ｌ字状に形成され、他端部が操作軸６１２に一体的に設けられて、操作軸６１２を回動させる。第１実施形態では、操作レバー６１１は、操作軸６１２の両端部に対称に設けられている。
【００７８】
操作軸６１２は、図１２，図１３に示すように、軸線方向を略水平にしてテーブル基部１１の幅方向に亘り設けられ、テーブル基部１１にブラケット１１２により回動可能に取付けられている。操作軸６１２の両端部には、操作軸６１２の側部から突出して設けられた取付部６１４があり、その取付部６１４を介して操作レバー６１１が一体的に設けられている。
【００７９】
そして、操作軸６１２は、図１７に示すように、軸線方向の略中央部に作動部材６２に作用する回動部６１３が一体的に設けられている。回動部６１３は、操作軸６１２とともに回動する。
【００８０】
作動部材６２は、図１７に示すように、回動部６１３の動作に連動してテーブル基部１１の底面に沿って略水平方向に回動する作動レバー（作動部）６２１と、作動レバー６２１の回動動作の中心となる支点部６２２と、作動レバー６２１の回動動作を第１操作ワイヤ７１に作用するワイヤ部材連結部（作用部）６２３と、を備えて構成されることを特徴としている。
【００８１】
ワイヤ部材連結部６２３には、第１操作ワイヤ７１の一端部を保持するワイヤ保持部材７１３が回動可能に設けられている。これにより、作動レバー６２１が支点部６２２を支点として回動することで、第１操作ワイヤ７１を動作させることができる。
【００８２】
第１実施形態では、図１４，図１５に示すように、操作レバー６１１の動作を規制するロックレバー６３を備えている。
【００８３】
ロックレバー６３は、一端部を操作部６３ａとして、テーブル基部１１の外側に突出して配置されている。そして、他端部をロック部６３ｂとして、図１３に示すように、操作部６３ａをロック操作したときに（図中左方向への操作）、操作レバー６１１の下方側に突出するように設けられている。
【００８４】
ロックレバー６３は、通常はコイルばね６３１によって付勢されて、ロック部６３ｂが操作レバー６１１の下方に配置しないようにされている。
【００８５】
次に、伝達部材７０の構成について図面を参照して説明する。
伝達部材７０は、図１，図２に示すように、第１操作ワイヤ７１、第２操作ワイヤ７２、第３操作ワイヤ７３、および第４操作ワイヤ７４を備えて構成されている。
【００８６】
第１操作ワイヤ７１は、図１６に示すように、アウタワイヤ７１１と動作するインナワイヤ７１２とを備え、アウタワイヤ７１１の一端部がテーブル基部１１に設けられた操作ワイヤ取付け部１１１に取付けられ、インナワイヤ７１２の一端部がワイヤ保持部材７１３に連結されている。
【００８７】
図１５，図１６，図１７に示すように、操作レバー６１１を操作することで操作軸６１２が回動し、操作軸６１２が回動することで回動部６１３が一体的に回動する。
回動部６１３の動きに連動して作動レバー６２１が動作して、これにより、ワイヤ部材連結部６２３が移動する。ワイヤ部材連結部６２３にはワイヤ保持部材７１３が連結されており、ワイヤ部材連結部６２３が移動することで第１操作ワイヤ７１が引かれるようにされている。
【００８８】
第１操作ワイヤ７１は、図１８に示すように、支柱部２０の内部を通って支柱取付板１２０に設けられた開口部１２１から支柱部２０の外部に貫通される。符号２１０は第１操作ワイヤ７１の設置と動きをガイドするワイヤガイド部である。
【００８９】
支柱取付板１２０の開口部１２１から露出した第１操作ワイヤ７１の他端部は、アウタワイヤの端部が第２脚部フレーム３０２内に固定され、図３（ａ），（ｂ），（ｃ）に示すようにインナワイヤの端部には操作ワイヤ連結部７５を構成する第２連結部７５ｂが設けられている。第２連結部７５ｂは、第２操作ワイヤ７２に設けられた操作ワイヤ連結部７５を構成する第１連結部７５ａに連結される。
【００９０】
このように、第１連結部７５ａと第２連結部７５ｂとにより構成される操作ワイヤ連結部７５により、操作レバー６１１の動作を伝達する第１操作ワイヤ７１の動作を第２操作ワイヤ７２に伝達することができる。
【００９１】
そして、第２操作ワイヤ７２により伝達された動作は、図４，図７に示すように、ワイヤ操作伝達部７２０を介して第３操作ワイヤ７３および第４操作ワイヤ７４に伝達され、さらにワイヤ操作伝達部７３０，７４０を介してブレーキ操作ワイヤ７３ａ，７３ｂ，７４ａ，７４ｂに伝達されて、それぞれブレーキ機構４０ａ，４０ｂ，４０ｃ，４０ｄを操作するようにされている。
【００９２】
これにより、操作レバー６１１を操作することで、第１操作ワイヤ７１、操作ワイヤ連結部７５、第２操作ワイヤ７２、第３操作ワイヤ７３、第４操作ワイヤ７４およびブレーキ操作ワイヤ７３ａ，７３ｂ，７４ａ，７４ｂを介してブレーキ機構４０ａ，４０ｂ，４０ｃ，４０ｄのブレーキ解除の操作を一括して行うことができる。
【００９３】
次に、第１実施形態のテーブル装置１において、支柱部２０と脚部３０とを分解／組立可能にする特徴的な構成について、図面を参照して説明する。
図１９は第１実施形態のテーブル装置の支柱部のカバー部材の構成を示す説明図、図２０は前記カバー部材と支柱取付板の構成を示す平面図による説明図、図２１は前記カバー部材と前記支柱取付板の構成を示す側面図による説明図、図２２は前記支柱部における支柱取付板が取付けられる基部の構成を示す説明図、図２３は前記テーブル装置の脚部の取付面の構成を示す説明図、図２４は前記テーブル装置において脚部と支柱部とを組み付ける手順を示す説明図である。
【００９４】
第１実施形態では、第１支柱部材２０１の基部には、図１８，図１９に示すように、第１支柱部材２０１と第２脚部フレーム３０２とを接続する支柱取付板１２０と、支柱取付板１２０および第１支柱部材２０１と第２脚部フレーム３０２との接続部を覆うカバー部材１３０が設けられている。
【００９５】
支柱取付板１２０は、図１８，図２０，図２１に示すように、矩形状を呈し、略中央部の外側にワイヤガイド部２１０が設けられ、ワイヤガイド部２１０に隣接して第１操作ワイヤ７１の一端部が貫通可能な開口部１２１が設けられている。
【００９６】
また、支柱取付板１２０には、図２０に示すように、ワイヤガイド部２１０に隣接して支柱取付板１２０を第１支柱部材２０１に取付けるための第１取付穴（第１取付部）１２０ａ１と、第２脚部フレーム３０２を第１支柱部材２０１に取付けるために貫通した第２取付穴（第２取付部）１２０ａ２と、第２脚部フレーム３０２を取付けるための第３ねじ穴１２０ｂ３が設けられている。第２取付穴１２０ａ２と第３ねじ穴１２０ｂ３は、それぞれ２箇所ずつ設けられている。
【００９７】
第１支柱部材２０１は、押し出し成型により形成されており、その基部には、図２２に示すように、第１取付穴１２０ａ１に対応する第１ねじ穴２０１ｂ１と、第２取付穴１２０ａ２に対応する第２ねじ穴２０１ｂ２が設けられている。
【００９８】
脚部３０の第２脚部フレーム３０２には、図２３に示すように、第１支柱部材２０１が連結される連結部には、支柱取付板１２０と対向する位置に取付面１４０が設けられている。
【００９９】
取付面１４０には、支柱取付板１２０の第３ねじ穴１２０ｂ３に対応する第４取付穴１４０ａ４と、支柱取付板１２０を介して第１支柱部材２０１の第２ねじ穴２０１ｂ２に対応する第３取付穴１４０ａ３が、それぞれ２箇所ずつ設けられている。
そして、ワイヤガイド部２１０が干渉しないように、ワイヤガイド部２１０と対向する位置に開口部１４１が形成されている。
【０１００】
カバー部材１３０は、樹脂材により構成され、図２に示すように第２脚部フレーム３０２に第１支柱部材２０１を連結した状態で、図１９，図２０に示すように、上部から支柱取付板１２０を覆うように略矩形状に形成されている。カバー部材１３０の中央部には、第１支柱部材２０１の外周形状に沿って開口された開口部１３１が形成されている。
【０１０１】
カバー部材１３０の脚部３０に対して幅方向両側端部には、図２０に示すように、支柱取付板１２０の両側端部を把持する把持部１３２が形成されている。カバー部材１３０の脚部３０に対して長手方向一端部には、支柱取付板１２０との位置決めをするストッパ部１３３が形成されている。
【０１０２】
図１９，図２１に示す符号２２０は、支柱部２０内部に配置された構成部材を支持する支持部材である。
【０１０３】
次に、支柱部２０と脚部３０を連結する場合について説明する。
図２４は第１実施形態の支柱部と脚部とを連結するときの手順を示す概略図である。
【０１０４】
まず、図２０に示すように、支柱取付板１２０とカバー部材１３０とを組み付ける。
そして、カバー部材１３０とともに支柱取付板１２０を第１支柱部材２０１の基部に組み付ける。このとき、カバー部材１３０は、図１９に示すように、開口部１３１により第１支柱部材２０１の外周形状に沿って取付けられるため、支柱取付板１２０は第１支柱部材２０１に対して回転することなく設置できる。
【０１０５】
このようにして、支柱取付板１２０を第１支柱部材２０１の基部に配置して、図２４に示すように、締結ボルト１２１ａを支柱取付板１２０の第１取付穴１２０ａ１を通して第１支柱部材２０１の第１ねじ穴２０１ｂ１に締め込んで、第１支柱部材２０１に支柱取付板１２０を固定する。
【０１０６】
次に、支柱取付板１２０上に第２脚部フレーム３０２を重ねて合わせて、第２脚部フレーム３０２の取付面１４０を支柱取付板１２０と対向する位置に配置する。
【０１０７】
そして、２本の締結ボルトを取付面１４０の第４取付穴１４０ａ４を通して、支柱取付板１２０の第３ねじ穴１２０ｂ３に締め込んで、支柱取付板１２０に第２脚部フレーム３０２を固定する。
【０１０８】
同様に、２本の締結ボルトを取付面１４０の第３取付穴１４０ａ３を通して、支柱取付板１２０の第２取付穴１２０ａ２を貫通して、支柱取付板１２０の第２ねじ穴２０１ｂ２に締め込んで、支柱取付板１２０を介して第１支柱部材２０１に第２脚部フレーム３０２を固定する。
【０１０９】
このようにして、支柱取付板１２０を介在して脚部３０と支柱部２０とを簡単に組み付けることができる。
【０１１０】
以上のように構成したので、第１実施形態によれば、テーブル板１０と、テーブル板１０を支持する支柱部２０と、支柱部２０を支持する脚部３０とを備えるテーブル装置１において、支柱部２０と脚部３０とは分離可能に構成し、支柱取付板１２０と、カバー部材１３０と、を備え、カバー部材１３０の構成として、開口部１３１と、把持部１３２と、を備えることで、カバー部材１３０が支柱部材２０１を把持した状態で支柱部の外周形状に沿って配置されるので、支柱部材２０１が第１支柱部材２０１に対して回動することなく、容易に支柱取付板１２０を第１支柱部材２０１に取付けることができる。さらに、支柱取付板１２０に、支柱取付板１２０を第１支柱部材２０１に取付けるための第１取付穴１２０ａ１と、第２脚部フレーム３０２を支柱部材２０１に取付けるための第３ねじ穴１２０ｂ３と、第２脚部フレーム３０２を支柱部材２０１を介して第１支柱部材２０１に取付けるための第２取付穴１２０ａ２と、を備えることで、簡単に第１支柱部材２０１と第２脚部フレーム３０２とを組み付けることができる。
このようにして、カバー部材１３０により支柱取付板１２０の板金部分の角部等を覆い、保護するとともに、外観を良好にでき、さらに、カバー部材１３０を支柱取付板１２０の回転防止手段として機能させることで、少ない部品点数で支柱取付板１２０を第１支柱部材２０１に簡単に取付けることができるので、簡単な構成で支柱部２０と脚部３０とを分解／組立可能に構成でき、簡単に組み立てることができるテーブル装置を実現できる。
【０１１１】
なお、第１実施形態では、支柱取付板１２０に、第２脚部フレーム３０２を取付けるための第３ねじ穴１２０ｂ３と、第２脚部フレーム３０２を支柱取付板１２０を介して第１支柱部材２０１に取付けるための第２取付穴１２０ａ２を設けて、第２脚部フレーム３０２と第１支柱部材２０１とを取付けるように構成しているが、支柱取付板１２０の構成はこれに限定されるものではない。
【０１１２】
（第２実施形態）
本発明の第２実施形態について図面を参照して説明する。
図２５は本発明の第２実施形態に係るテーブル装置における支柱取付板の構成および脚部と支柱部とを組み付ける手順を示す説明図である。
【０１１３】
なお、第２実施形態におけるテーブル装置は、基本的な構成は第１実施形態のテーブル装置の構成と同様な構成を備えるものであり、同様な構成については同一の符号を付することで説明を省略する。
【０１１４】
第２実施形態では、支柱取付板２２０には、図２５に示すように、支柱取付板２２０を第１支柱部材２０１に取付けるための第１取付穴１２０ａ１と、第２脚部フレーム３０２を支柱取付板２２０を介して第１支柱部材２０１に取付けるために貫通した第２取付穴（第２取付部）１２０ａ２を設けたことを特徴としている。
第２取付穴１２０ａ２は４箇所に設けられている。
【０１１５】
支柱取付板２２０は、第１実施形態と同様に、矩形状を呈し、略中央部の外側にワイヤガイド部２１０が設けられ、ワイヤガイド部２１０に隣接して第１操作ワイヤ７１の一端部が貫通可能な開口部１２１が設けられている。
【０１１６】
第１支柱部材２０１の基部には、図２５に示すように、第１取付穴１２０ａ１に対応する第１ねじ穴２０１ｂ１が１箇所に設けられ、第２取付穴１２０ａ２に対応する第２ねじ穴２０１ｂ２が４箇所に設けられている。
【０１１７】
脚部３０の第２脚部フレーム３０２には、第１実施形態と同様に、第１支柱部材２０１が連結される連結部に、支柱取付板１２０と対向する位置に取付面１４０が設けられている。
【０１１８】
取付面１４０には、支柱取付板２２０を介して第１支柱部材２０１の第２ねじ穴２０１ｂ２に対応する第４取付穴１４０ａ４が４箇所に設けられている。
【０１１９】
第２実施形態のテーブル装置において、支柱部２０と脚部３０を連結する場合は、第１実施形態と同様に、図２５に示すように、第１支柱部材２０１に固定された支柱取付板２２０上に第２脚部フレーム３０２を重ねて合わせて、第２脚部フレーム３０２の取付面１４０を支柱取付板２２０と対向する位置に配置する。
【０１２０】
そして、４本の締結ボルトを取付面１４０の第４取付穴１４０ａ４を通して、支柱取付板２２０の第２取付穴１２０ａ２を介して、支柱取付板１２０の第２ねじ穴２０１ｂ２に締め込んで、支柱取付板２２０を介して第１支柱部材２０１に第２脚部フレーム３０２を固定する。
【０１２１】
このようにして、支柱取付板２２０を介在して脚部３０と支柱部２０とを簡単に組み付けることができる。
【０１２２】
以上のように構成したので、第２実施形態によれば、４本の締結ボルトにより支柱取付板２２０を鋏んだ状態で、第１支柱部材２０１と第２脚部フレーム３０２とを簡単に、且つ確実に組み付けることができる。
【０１２３】
なお、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【産業上の利用可能性】
【０１２４】
本発明のテーブル装置は、単にベッドサイドテーブルやオーバーベッドテーブル等のテーブル装置だけではなく、ブレーキ操作や手動操作等を行う操作機構を備えるテーブル装置に利用することができる。また、本発明のテーブル装置は、医療用、介護用のベッド等に利用することができる。
【符号の説明】
【０１２５】
１  テーブル装置
１０  テーブル板
２０  支柱部
３０  脚部
４０  ブレーキ機構
４３  キャスタ
５０  ブレーキ操作機構
６０  操作機構
７０  伝達部材
７１  第１操作ワイヤ
７５  操作ワイヤ連結部
１２０，２２０  支柱取付板（取付部材）
１２０ａ１  第１取付穴（第１取付部）
１２０ａ２  第２取付穴（第２取付部）
１２０ｂ２  第２ねじ穴（第２取付部）
１２１  開口部
１３０  カバー部材
１３１  開口部
１３２  把持部
１４０  取付面
１４０ａ３  第３取付穴（第３取付部）
１４０ａ４  第４取付穴（第４取付部）
２０１  第１支柱部材
２０１ｂ１  第１ねじ穴（第１取付部）
２０１ｂ３  第３ねじ穴（第３取付部）
３０２  第２脚部フレーム
【図１】
0006644527.tif 000002
【図２】
0006644527.tif 000003
【図３】
0006644527.tif 000004
【図４】
0006644527.tif 000005
【図５】
0006644527.tif 000006
【図６】
0006644527.tif 000007
【図７】
0006644527.tif 000008
【図８】
0006644527.tif 000009
【図９】
0006644527.tif 000010
【図１０】
0006644527.tif 000011
【図１１】
0006644527.tif 000012
【図１２】
0006644527.tif 000013
【図１３】
0006644527.tif 000014
【図１４】
0006644527.tif 000015
【図１５】
0006644527.tif 000016
【図１６】
0006644527.tif 000017
【図１７】
0006644527.tif 000018
【図１８】
0006644527.tif 000019
【図１９】
0006644527.tif 000020
【図２０】
0006644527.tif 000021
【図２１】
0006644527.tif 000022
【図２２】
0006644527.tif 000023
【図２３】
0006644527.tif 000024
【図２４】
0006644527.tif 000025
【図２５】
0006644527.tif 000026